(57)【要約】【課題】環境に対し、異なる照明ユニットの作動により生じる照明効果を測定し、この測定効果に応じてその作動を制御すること。【解決手段】少なくとも１つの照明装置（２）を制御するための方法およびシステムであって、照明装置は、照明装置を識別する識別符号を含む照明装置のデータにより照明装置が発生する光を変調し、ユーザー制御デバイス（１２）は照明装置からの光を受け、この光から照明装置のデータを誘導する。ユーザー制御デバイスは、照明装置のデータとは別に、受けた光の性質を測定し、受けたデータに含まれる識別符号に関連する照明装置に関連する別のデータを提供し、ユーザー制御デバイスのロケーションに関するデータを決定し、ユーザー制御デバイスは、得たデータを送信し、メイン制御デバイス（１０）は、ユーザー制御デバイスが送信したデータを受信し、前記すべてのデータに応じて少なくとも１つの照明装置を制御する。【選択図】図２
2008537305.tif 000002
【特許請求の範囲】
【請求項１】
少なくとも１つの照明装置と、ユーザーによって制御されるデバイスと、メイン制御デバイスとを備えた、照明システムを制御するための方法において、
−前記照明装置に識別符号を提供するステップと、
−前記照明装置において、
前記照明装置の前記識別符号を含む照明装置のデータにより前記照明装置が発する光を変調するステップと、
−前記ユーザーによって制御されるデバイスにおいて、
−前記照明装置からの光を受けるステップと、
−前記照明装置から受けた前記光から受けた前記照明装置のデータを誘導するステップと、
−前記受けた照明装置のデータ内に含まれる識別符号に関連する追加データを発生するステップと、
−前記受けた照明装置のデータおよび前記追加データを送信するステップと、
−前記メイン制御デバイスにおいて、
−前記ユーザーによって制御されるデバイスからの前記データを受信するステップと、
−前記受信したデータに応じて前記照明装置の作動を制御するステップと、を備えた前記照明システムを制御するための方法において、
前記ユーザーによって制御されるデバイスは、前記受けた光に含まれる識別符号とは別に、前記受けた光の少なくとも１つの性質を決定し、この光の性質のデータを提供し、前記ユーザーによって制御されるデバイスのロケーションを決定し、ロケーションデータを提供し、前記ユーザーによって制御されるデバイスは、ユーザーからの光トラッキングコマンドを決定し、トラッキングコマンドデータを提供し、前記ユーザーによって制御されるデバイスは、このデバイスが決定したデータを前記メイン制御デバイスに送信し、前記メイン制御デバイスは、前記すべてのデータに従って、前記少なくとも１つの照明装置を制御することを特徴とする、照明システムを制御するための方法。
【請求項２】
識別符号とは別に、前記少なくとも１つの光の性質を前記照明装置において決定し、前記光の性質のデータを提供し、前記照明装置が発生した光を変調することにより、前記データを送信し、前記ユーザーによって制御自在なデバイスは、前記光の性質データを前記メイン制御デバイスに中継することを特徴とする請求項１記載の方法。
【請求項３】
前記性質に関し、前記光を測定することにより、ユーザーによって制御自在なデバイスにおいて、前記識別符号とは別に前記少なくとも１つの光の性質を決定することを特徴とする請求項１記載の方法。
【請求項４】
前記メイン制御デバイスは、このデバイスが受ける前記データに応じ、前記少なくとも１つの照明装置が前記ユーザーによって制御自在なデバイスに有する光効果を維持するよう前記少なくとも１つの照明装置を制御することを特徴とする請求項３記載の方法。
【請求項５】
前記少なくとも１つの照明装置を制御する前に、前記少なくとも１つの照明装置がいくつかのロケーションにおいて有する照明効果に関するアプリオリなデータを前記メイン制御デバイスに提供し、前記制御中に、前記メイン制御デバイスは前記アプリオリなデータを考慮することを特徴とする請求項４記載の方法。
【請求項６】
前記少なくとも１つの照明装置を制御する前に、前記少なくとも１つの照明装置によって照明できる環境に関するアプリオリなデータを前記メイン制御デバイスに提供し、前記制御中、前記メイン制御デバイスは前記アプリオリなデータを考慮することを特徴とする、請求項４又は請求項５に記載の方法。
【請求項７】
−照明装置の識別符号を含む照明装置のデータにより、照明装置の光出力を変調する変調器を有する少なくとも１つの照明装置と、
−前記照明装置からの光を受け、受けた光に含まれる、受けた照明装置のデータを提供するための手段と、前記受けた照明装置のデータ内に含まれる識別符号に関連した追加データを発生するための手段と、前記受けた照明装置のデータおよび前記追加データを送信するための手段を有する、ユーザーによって制御されるデバイスと、
−前記ユーザーによって制御されるデバイスによって送信されたデータを受信し、前記ユーザーによって制御されるデバイスから受信したデータに応じ、前記照明装置の作動を制御する手段を有するメイン制御デバイスとを備えた照明システムにおいて、
前記ユーザーによって制御されるデバイスは、前記受けた光に含まれる識別符号とは別に、受けた光の少なくとも１つの性質を決定し、光の性質のデータを提供するための手段と、前記ユーザーからの光トラッキングコマンドを決定する手段とを備え、前記少なくとも１つの照明装置のロケーションを決定し、ロケーションデータを提供するための手段が設けられており、よって前記ユーザーによって制御されるデバイスは、このデバイスが決定したデータを前記メイン制御デバイスに送信し、前記メイン制御デバイスは、前記すべてのデータに従って、前記少なくとも１つの照明装置を制御することを特徴とする照明システム。
【請求項８】
前記少なくとも１つの照明装置は、識別符号とは別に、前記光の前記少なくとも１つの性質を決定するための手段と、前記少なくとも１つの光の性質を送信するための手段を有することを特徴とする請求項７記載のシステム。
【請求項９】
前記ユーザーによって制御自在なデバイスは、識別符号とは別に、このデバイスが受けた光の前記少なくとも１つの性質を測定するようになっている手段を有することを特徴とする請求項７記載のシステム。
【請求項１０】
前記メイン制御デバイスは、前記少なくとも１つの照明装置が前記ユーザーによって制御されるデバイスに有する照明効果を維持するよう、前記少なくとも１つの照明装置を、前記制御デバイスによって受信された前記データに応じて制御する制御プログラムを含むことを特徴とする請求項７乃至９の何れか１項に記載のシステム。
【請求項１１】
前記メイン制御デバイスは、前記少なくとも１つの照明装置を制御する前に、前記少なくとも１つの照明装置が、いくつかのロケーションで与える照明効果に関するアプリオリなデータを前記制御プログラムに提供するための手段を有し、前記制御中、前記制御プログラムは前記アプリオリなデータを考慮することを特徴とする請求項１０記載のシステム。
【請求項１２】
前記メイン制御デバイスは、前記少なくとも１つの照明装置を制御する前に、前記少なくとも１つの照明装置が、照明できる環境に関するアプリオリなデータを前記制御プログラムに提供するための手段を有し、前記制御中、前記制御プログラムは前記アプリオリなデータを考慮することを特徴とする請求項１０記載のシステム。
【発明の詳細な説明】
【技術分野】
【０００１】
本発明は、請求項１および７の前文にそれぞれ記載された照明システムを制御するための方法およびかかるシステムに関する。
【背景技術】
【０００２】
国際公開特許出願第WO2004/057927号は、無線制御式照明システムを構成するための方法を開示している。従来のシステムは、中央マスター制御デバイスと、この中央マスター制御デバイスにリンクされた数個のローカル制御マスターデバイスと、各ローカル制御マスターデバイスに関連する１つ以上の照明ユニットおよびポータブルリモコンとを備える。各照明ユニットおよびポータブルリモコンは、無線接続によりそれらに関連するローカル制御マスターデバイスにリンクされており、照明ユニットによって発生される光は、照明ユニットを制御する前に、照明ユニット内に記憶された識別符号によって変調される。ポータブルリモコンはこの変調された光を受け、この光からソース照明デバイスの識別符号を誘導するようになっている。ポータブルリモコンはユーザーインターフェースを有し、このユーザーインターフェースによりユーザーは追加データを入力でき、このデータは、照明ユニットから受信された識別符号と共に、関連するローカル制御マスターデバイスへ送られる。前記追加データは、例えばオンオフするよう照明ユニットを作動させるために、ユーザーが照明ユニットに割り当てるスイッチまたはキーの表示を含むことができる。次に、全般的な照明管理のために、中央マスターデバイスにデータが転送される。
【発明の開示】
【発明が解決しようとする課題】
【０００３】
従来の方法およびシステムでは、照明ユニットの制御は、順方向の制御だけで、すなわち照明ユニットの実際の照明条件およびロケーションに関して任意のタイプのフィードバックを行うことなく、実行される。例えば任意の数の照明ユニットにより、直接的だけではなく、反射の結果として間接的にも、ある対象を照明できる。従来のシステムを用いた場合、対象に対する異なる照明ユニットによって生じる照明効果を測定し、測定された照明効果に応じて照明ユニットの制御を変えることはできない。
【０００４】
本発明の目的は、従来技術の欠点を解決すると共に、その改良を行うことにある。
【０００５】
特に本発明の目的は、環境に対し、異なる照明ユニットの作動によって生じる照明効果を測定し、測定された効果に応じてその作動を制御することにある。
【課題を解決するための手段】
【０００６】
本発明の上記目的は、請求項１記載の方法によって達成される。測定される光の性質は、光の数種の性質のうちのいずれか、例えばコンポジット光（合成光）の強度、異なるカラーの光の強度および発光方向とすることができる。前記方法を用いた場合、ユーザーは光源のデータおよび特定の効果を望むロケーションに応じた照明スキームを容易に設計し、実施し、再設計などを行うことができる。
【０００７】
照明装置において、照明装置のデータは識別符号とは別に照明装置の少なくとも１つの性質のデータを含むことが好ましい。従って、照明装置の性質または仕様、例えばそのパワーおよび温度に応じた発光性がメイン制御デバイスに通知がされ、中央制御デバイスは、照明装置を制御する際、特に他の照明装置を制御するのと同時に、このデータを考慮できる。
【０００８】
特にメイン制御デバイスでは、制御プログラム、照明装置が発生すべき光の効果のスキーム、およびユーザー制御デバイスから受信され、照明装置に関連するデータに従って照明装置を制御することが好ましい。従って、制御プログラム、所望する光効果のスキームおよびユーザーによって制御されるデバイスから受信されたデータが提供されるときに、メイン制御デバイスはユーザーからの追加サポートまたは入力を受けることなく照明装置を制御できる。
【０００９】
特に照明装置の前記少なくとも１つの光の性質は、照明装置自身で決定され、その性質を示すデータは照明装置が発生する光を変調することによって送信され、そのデータは次にユーザー制御デバイスによってメイン制御デバイスに中継される。光の性質のデータは、固定してもよい。すなわち予め照明装置内に記憶してもよいし、かかるデータを提供するように適当なときに照明装置によってその性質を測定してもよい。
【００１０】
照明装置の少なくとも１つの前記光の性質は、ユーザー制御デバイスで測定することが好ましい。この結果、異なる照明装置が発生する光の性質を同一の規格に従って測定し、照明装置で光の性質を決定するための測定および手段を低減することができる。
【００１１】
メイン制御デバイスは、このデバイスが受信した前記データに応じ、前記ユーザーによって制御されるデバイスに前記少なくとも１つの照明装置が有する照明効果を維持するように、少なくとも１つの照明装置を制御することが好ましい。この結果、ユーザーは照明装置（単数または複数）がカバーする領域を通過するように、ユーザー制御デバイスを移動するだけで、光スポットのような照明効果をドラッグできる。
【００１２】
少なくとも１つの前記照明装置を制御する前に、メイン制御デバイスにはいくつかのロケーションで少なくとも１つの前記照明装置が生じる照明効果に関するアプリオリなデータを提供することが好ましく、前記制御中、メイン制御デバイスは前記アプリオリなデータを考慮する。このようにすることにより、照明装置を制御するとき、照明装置の光の性質を決定するための負担を１回に低減できる。すなわち照明装置を実際に使用する前に決定できる。
【００１３】
少なくとも１つの前記照明装置を制御する前に、前記少なくとも１つの照明装置が照明できる環境に関するアプリオリなデータを、メイン制御デバイスに提供し、前記制御中、メイン制御デバイスはこのアプリオリなデータを考慮することが好ましい。任意の照明装置は、物体照明カバー範囲が限られる。この装置は、異なるロケーションで異なる強度の光と影を発生する。かかる事項に関するデータをメイン制御デバイスに提供することにより、メイン制御デバイスは異なる照明装置を制御する際、特に異なるロケーションにおける特定の照明効果を同時に生じさせ、および／または維持するよう、このデータを考慮できる。
【００１４】
本発明の上記目的は、請求項５に記載された照明システムによっても達成される。
【００１５】
以下、添付図面を参照し、次の説明を読めば、本発明は次第に明らかとなろう。
【発明を実施するための最良の形態】
【００１６】
図１に示されたシステムは１つ以上の照明装置２を備え、これら照明装置の各々は１つ以上の照明ユニットを含むことができ、各照明ユニットは参照番号４で略図で示されており、１つの照明装置２に関連する照明ユニット４を、照明すべき部屋または他の所定の領域内の異なるロケーションに配置できる。照明ユニット４から発生する光は、点線矢印６のグループによって示されている。
【００１７】
１つの照明装置２は、識別符号を記憶するための手段（この手段は照明装置２ごとにユニークである）と、照明ユニット４に給電するための制御手段と、少なくとも前記識別符号を含むデータに応じて照明ユニット４の給電を変えると共に、照明ユニット４の光出力を変調するための手段とを備える。
【００１８】
図１に示されたシステムは、更にメイン制御デバイス１０と、ユーザー制御デバイス１２とを備える。特にユーザー制御デバイス１２は、ハンドヘルドデバイスであって、ユーザーが持ち運びできるようになっている。このユーザー制御デバイスには光検出手段が設けられており、この検出手段の光入射ドーム１４しか示されていない。この光検出手段は、環境、例えば対象、例えば壁での反射後、間接的に、または直接的に１つ以上の照明ユニット４からの光を受けるようになっている。矢印１６および１８は、異なる照明ユニット４からユーザー制御デバイス１２が受けた光を示している。矢印２０〜２６は、可能な場合には反射により、他の照明ユニット４および／または他の光源から、ユーザー制御デバイス１２が受けた光を示している。
【００１９】
ユーザー制御デバイス１２は、参照番号２８で示される無線接続により、メイン制御デバイス２と通信できる。
【００２０】
任意のタイプとすることができるリンク３０を介し、メイン制御デバイス１０には各照明装置２が接続されている。
【００２１】
メイン制御デバイス１０は、プロセッサを含み、このプロセッサは、照明装置２の照明ユニット４がカバーする照明ロケーションのためのスキームに従い、スキーム、例えば光強度、光のカラーのレンジおよび光の方向に従って制御プログラムを作動させる。
【００２２】
照明装置２がカバーするロケーションでの、照明条件に関するデータをメイン制御デバイス１０に供給するとき、ユーザーはそのロケーションをカバーする照明装置２からの前記ロケーションの各々における光を受けるよう、ユーザー制御デバイス１２を使用し、単一照明装置２の識別符号を誘導するか、または数個の照明装置２からの合成直接光または間接光を受ける場合には、それぞれの照明装置２に由来する数個の識別符号を誘導する。ユーザー制御デバイスは、所定のインターバル中の平均光強度のような、データを示すものとは別の、当該受けた光のある性質を測定し、次にユーザー制御デバイス１２は、誘導された１つ以上の識別符号と共に、測定された光の性質の値を示すデータをメイン制御デバイス１０へ送信する。次に、メイン制御デバイス１０のプログラムは、ユーザー制御デバイス１２の現在のロケーションにおける照明に対し、メイン制御デバイス１０の特定の制御が与える影響または効果を決定できる。メイン制御デバイス１０は、数個所のロケーションでのデータを獲得した後に、前記ロケーションの一部またはすべてにおける所望する光の効果を得るよう、数種の方法で照明装置２を制御できる。
【００２３】
本発明によれば、照明装置２（単数または複数）を制御する際に、メイン制御デバイス１０が考慮するロケーションデータを提供するよう、ユーザー制御デバイス１２のロケーションを決定する。ユーザー制御デバイス１２のロケーションは異なる方法で決定できる。例えばユーザー制御デバイス１２は、例えばＧＳＭを使用するか、または基準対象に対するユーザー制御デバイスの位置をモニタすることによってユーザー制御デバイス１２は自らのロケーションを決定できる。この場合、基準対象は部屋内に位置するか、または照明システムがカバーする他の領域に位置する。これら基準対象を変調された光または超音波を送信するための送信機とすることができる。別の方法として、メイン制御デバイス１０は、ユーザー制御デバイス１２のロケーションを決定できる。例えば光または超音波を送信するための送信機をユーザー制御デバイス２１に提供し、メイン制御デバイスはかかる光または超音波を受けるよう、異なる基準ロケーションに設けられた数個の受信機を含んでもよいし、これら受信機に接続することができ、光または超音波からユーザー制御デバイス１２の位置を計算することができる。当業者には、かかる手段は周知であり、本発明自体の一部を構成するものではない。従って、これらの詳細な説明については本明細書では省略する。同じ理由から、データ、特に識別符号により、光を変調するための手段およびかかる変調された光を受け、この光からデータを誘導するための手段の詳細な説明も本明細書では省略する。
【００２４】
図２において、基準番号３４は壁、例えば展示室の壁を示す。壁１４には絵画３６が取り付けられており、１つ以上の照明装置１０のうちの数個の照明ユニット４により絵画３６および他の展示物（図示せず）を照明できる。各照明ユニット４には、照明ユニット４が発生する光を減光、指向および合焦するための手段を設けることが好ましい。
【００２５】
図２の例では、照明ユニット４は、壁３４における所定のロケーションで特殊な光の効果、例えば光スポット３８を生じるよう、メイン制御デバイス１０によって制御されるような状態にある。ユーザー４０は、ユーザー制御デバイスが照明ユニット４からの光を受けることができるよう、ユーザー制御デバイス１２を有する。ユーザー４０は、メイン制御デバイス１０が、ユーザー制御デバイス１２が受けた光に関する現在のデータ、光を発生した照明装置の識別符号およびユーザー制御デバイス１２のロケーションに関するデータを決定するよう、メイン制御デバイス１０に命令するために、ユーザー制御デバイス１２のユーザーインターフェース（詳細には図示されず）、例えばボタンを制御できる。更にユーザー４０は、前記ユーザーインターフェースを操作することにより、移動した時のユーザー制御デバイス１２をトラッキングし、更にユーザー制御デバイス１２が移動したときの前記データを決定し続けるように、メイン制御デバイス１０に命令することもできる。このように、メイン制御デバイスは、このメイン制御デバイス１０による照明ユニット４の制御の特殊な状態に関連する、１つ以上の照明ユニット４が発生する光から生じる、三次元の照明効果を学習できる。従って、メイン制御デバイス１０は、このデバイスが行うことができるどの制御方法によって、デバイス１０がどの光効果を生じさせることができるかを学習できる。
【００２６】
更にユーザー４０は、移動時のユーザー制御デバイス１２をトラッキングするだけでなく、ユーザー制御デバイス１２のロケーションを変えたときに光効果を維持するよう、照明装置２またはそれらの照明ユニット４を制御するように、メイン制御デバイス１０に命令することもできる。この結果、ユーザー制御デバイス１２によって他のどのロケーションにも、光効果をドラッグできる。例えば上記学習プロセスによりユーザー制御デバイス１２の変化するロケーションにおいて、前記光効果を維持するよう、照明装置２の制御を変える方法に関するデータがメイン制御デバイス１０にアプリオリに提供されていることを条件とする。このように、ユーザー４０は矢印４２が示す方向に移動する際に、絵画３６の外側の壁３４から矢印４４が示す軌跡に沿って、絵画３６の特定の細部に向かって光スポット１８をドラッグできる。ユーザー４０は、かかるドラッグを達成するために、メイン制御デバイス１０がどのように照明装置２を制御するかを知らなくてもよい。ユーザーは自分が創出したい展示の光スキームに十分に集中できる。
【００２７】
図３では、参照番号４６はステージを示し、参照番号４８は後方の壁を示す。図示されているような状況では、照明ユニット４はステージ４６上で特定の光効果、例えば光スポット５０を発生する状態にある。図２の例と同じように、ユーザー４０は、移動した時のユーザー制御デバイス１２をトラッキングし、照明装置２を適当に制御することにより、移動時のユーザー制御デバイス１２のロケーションが変化しても前記光効果を維持するようメイン制御デバイス１０に命令することができる。このように、ディレクターは、前記ステージ４６で発揮すべき魅力的な照明スキームを容易に創出できる。
【００２８】
本発明に係わる方法およびシステムを用いることにより、特定のロケーションの照明装置を制御する結果として、ユーザー制御デバイス１２を介しどの照明効果を得るかを決定し、この決定した効果をメイン制御デバイス１０へ伝え、前記ロケーションにおいてユーザー制御デバイス１２のロケーションに応じ、所望する光の効果を得るよう、いくつかの可能な方法のいずれかで照明装置２を制御するような手段が得られる。本発明に係わる方法およびシステムにより、光の効果を発生するために、いくつかのロケーションにおける可能な照明効果およびいくつかの別の方法に関するデータをメイン制御デバイスに容易に提供することが可能となる。更に本発明に係わる方法およびシステムにより、ユーザー制御デバイス１２を移動するだけで、特定のロケーションにおける特定の光の効果を別のロケーションにドラッグすることが可能となる。
【００２９】
特許請求の範囲によって決定される発明の範囲から逸脱することなく、いくつかの変形を実行できることに留意すべきである。例えば光を変調するのに、照明装置２が使用するデータは、照明装置２の特性または仕様に関するデータを含むことができる。この別のデータを照明装置２の識別符号と共にユーザー制御デバイス１２を通してメイン制御デバイス１０に中継できる。次に、メイン制御デバイス１０は、前記照明装置２（単数または複数）の作動を制御する際に、前記追加データを考慮できる。前記別のデータは、カラーに依存する光の強度および光の向きの情報に関する容量を参照できる。
【００３０】
請求の範囲内では、光効果をモニタし、トラッキングし、ドラッグするために、例えばユーザー制御デバイス１２のボタンを押し続けなくてよいことも理解できよう。所定のロケーションで検出された光の効果をコピーし、メモし、ペーストし、スクロールすることも可能である。ペーストおよびスクロールは、ユーザー制御デバイス１２からメイン制御デバイス１０へ、代替ロケーションを送信することを含む。ユーザーによりユーザー制御デバイス１２の１つ以上のボタンおよび／またはスクロールホイールを操作することにより、代替ロケーションのかかる送信を開始できる。メイン制御デバイス１０により、このようなコマンドを取り扱うことは、コンピュータのマウスを操作することによって供給される同様なコマンドを取り扱うことと大きく異なるものではない。従って、詳細な説明において、かかるコマンドを取り扱うための方法のステップまたはソフトウェアについては省略する。
【図面の簡単な説明】
【００３１】
【図１】本発明に係わる方法を実施する、本発明に係わる制御システムのブロック図である。
【図２】本発明に係わる方法およびシステムを実施する一例を略図で示す。
【図３】本発明に係わる方法およびシステムを実施する別の例を略図で示す。
【符号の説明】
【００３２】
２    照明装置
４    照明ユニット
６    光
１０    メイン制御デバイス
１２    ユーザー制御デバイス
１４    光入射ドーム
１６、１８    光
２０〜２６    光
３４    壁
３６    絵画
４０    ユーザー
【図１】
2008537305.tif 000003
【図２】
2008537305.tif 000004
【図３】
2008537305.tif 000005
【国際調査報告】
2008537305.tif 000006
2008537305.tif 000007
2008537305.tif 000008
2008537305.tif 000009
2008537305.tif 000010